(57)【要約】【課題】両手での入力操作を可能とし、また容易にマルチ入力を可能にする表示入力装置を提供する。【解決手段】透光性の画像表示パネル１の両面に正面側タッチパネル２１及び背面側タッチパネル２２を配置してあり、画像表示パネル１の両面で入力が可能である。使用者は、正面側タッチパネル２１による画像表示パネル１の正面側での入力を行うと共に、画像表示パネル１の背面側での操作を視認しながら、背面側タッチパネル２２による画像表示パネル１の背面側での入力を行うことができる。このため、表示入力装置を支持している方の手を含む両手を用いた入力操作が可能である。また、画像表示パネル１の正面側及び背面側の両方への入力を行うことにより、マルチ入力が可能となる。【選択図】図１
2013003601.tif 000002
【特許請求の範囲】
【請求項１】
画像表示パネルと、
該画像表示パネル上の何れかの位置を一面側から指定する入力を受け付ける第１入力部と、
前記画像表示パネル上の何れかの位置を他面側から指定する入力を受け付ける第２入力部とを備え、
前記画像表示パネル、前記第１入力部及び前記第２入力部は、一面側から他面側へ光が透過する構成になっていること
を特徴とする表示入力装置。
【請求項２】
前記第１入力部及び前記第２入力部で入力を受け付けたときの前記画像表示パネル上の入力位置を共通の座標系上で検出する手段と、
前記第１入力部及び前記第２入力部の両方で入力を受け付けたときの入力位置の差を計算する手段と
を更に備えることを特徴とする請求項１に記載の表示入力装置。
【請求項３】
前記第１入力部及び前記第２入力部の両方で入力を受け付けたときの入力の時間差を検出する手段を更に備えること
を特徴とする請求項１又は２に記載の表示入力装置。
【請求項４】
前記第１入力部で持続的に入力を受け付けながら入力位置が移動する場合に移動方向を検出する手段と、
前記第２入力部で持続的に入力を受け付けながら入力位置が移動する場合に移動方向を検出する手段と
を更に備えることを特徴とする請求項１から３までの何れか一つに記載の表示入力装置。
【請求項５】
前記第１入力部で持続的に入力を受け付けながら入力位置が移動する場合に移動速度を検出する手段と、
前記第２入力部で持続的に入力を受け付けながら入力位置が移動する場合に移動速度を検出する手段と
を更に備えることを特徴とする請求項１から４までの何れか一つに記載の表示入力装置。
【請求項６】
前記画像表示パネルの一面側又は他面側で個人認証用の生体情報を取得する手段と、
取得した生体情報、並びに前記第１入力部及び前記第２入力部の内で生体情報を取得した側とは逆側の入力部で入力を受け付けた位置に基づいて、個人認証を行う手段と
を更に備えることを特徴とする請求項１から５までの何れか一つに記載の表示入力装置。
【発明の詳細な説明】
【技術分野】
【０００１】
本発明は、画像表示パネルを備え、画像表示パネル上のいずれかの位置を指定する入力を受け付ける表示入力装置に関する。
【背景技術】
【０００２】
従来、画像表示パネルに画像を表示すると共に、タッチパネルで使用者からの入力を受け付ける表示入力装置が使用されている。表示入力装置は、指又はペン等を用いて使用者がタッチパネルに接触した位置を検出し、検出した位置に応じた入力を受け付ける。特に、携帯型のコンピュータ、携帯型のゲーム機又は携帯電話機等、携帯型の表示入力装置には、多くの部分を画像表示パネル及びタッチパネルが占め、使用者によるほとんどの操作をタッチパネルで受け付けるものがある。特許文献１には、透光性のある画像表示パネルを備え、画像表示パネルの背面側からの入力を可能にした表示入力装置が開示されている。
【先行技術文献】
【特許文献】
【０００３】
【特許文献１】特開２００７−１６４７６７号公報
【発明の概要】
【発明が解決しようとする課題】
【０００４】
携帯型の表示入力装置で情報の入力を行う際には、使用者は一方の手で表示入力装置を保持し、他方の手で入力の操作を行うことが多い。片手での入力操作は制限が多く、使用者が不便さを感じることがある。また、シフト入力等、タッチパネル上の二箇所で同時入力を行いたい場合がある。タッチパネル上の二箇所で同時入力を行うためには、複数個所での接触を同時に検出することができるマルチ入力の機能をタッチパネルが備えている必要がある。マルチ入力の機能を備えたタッチパネルは、構造が複雑となり、コストが高いという問題がある。
【０００５】
本発明は、斯かる事情に鑑みてなされたものであって、その目的とするところは、背面側の操作を視認可能にした画像表示パネルを用いることにより、両手での入力操作を可能とし、また容易にマルチ入力を可能にする表示入力装置を提供することにある。
【課題を解決するための手段】
【０００６】
本発明に係る表示入力装置は、画像表示パネルと、該画像表示パネル上の何れかの位置を一面側から指定する入力を受け付ける第１入力部と、前記画像表示パネル上の何れかの位置を他面側から指定する入力を受け付ける第２入力部とを備え、前記画像表示パネル、前記第１入力部及び前記第２入力部は、一面側から他面側へ光が透過する構成になっていることを特徴とする。
【０００７】
本発明においては、表示入力装置は、表示パネルに対する両面からの入力を可能とし、一面側にある物体が他面側から見えるように透光性の構造になっている。使用者は、背面側の操作を正面側から視認しながら入力を行うことができる。
【０００８】
本発明に係る表示入力装置は、前記第１入力部及び前記第２入力部で入力を受け付けたときの前記画像表示パネル上の入力位置を共通の座標系上で検出する手段と、前記第１入力部及び前記第２入力部の両方で入力を受け付けたときの入力位置の差を計算する手段とを更に備えることを特徴とする。
【０００９】
本発明においては、表示入力装置は、両面での入力位置の差を検出し、入力位置の差に応じた処理を可能にする。
【００１０】
本発明に係る表示入力装置は、前記第１入力部及び前記第２入力部の両方で入力を受け付けたときの入力の時間差を検出する手段を更に備えることを特徴とする。
【００１１】
本発明においては、表示入力装置は、一面側と他面側とで入力を受け付けた時間差を検出し、時間差に応じた処理を可能にする。
【００１２】
本発明に係る表示入力装置は、前記第１入力部で持続的に入力を受け付けながら入力位置が移動する場合に移動方向を検出する手段と、前記第２入力部で持続的に入力を受け付けながら入力位置が移動する場合に移動方向を検出する手段とを更に備えることを特徴とする。
【００１３】
本発明においては、表示入力装置は、持続的に入力を受け付けた際の入力位置の移動方向を検出し、移動方向に応じた処理を可能にする。
【００１４】
本発明に係る表示入力装置は、前記第１入力部で持続的に入力を受け付けながら入力位置が移動する場合に移動速度を検出する手段と、前記第２入力部で持続的に入力を受け付けながら入力位置が移動する場合に移動速度を検出する手段とを更に備えることを特徴とする。
【００１５】
本発明においては、表示入力装置は、持続的に入力を受け付けた際の入力位置の移動速度を検出し、移動速度に応じた処理を可能にする。
【００１６】
本発明に係る表示入力装置は、前記画像表示パネルの一面側又は他面側で個人認証用の生体情報を取得する手段と、取得した生体情報、並びに前記第１入力部及び前記第２入力部の内で生体情報を取得した側とは逆側の入力部で入力を受け付けた位置に基づいて、個人認証を行う手段とを更に備えることを特徴とする。
【００１７】
本発明においては、表示入力装置は、一方の面で指紋等の生体情報を取得し、生体情報と他方の面での入力位置とに基づいて、認証処理を行う。
【発明の効果】
【００１８】
本発明にあっては、使用者は、表示入力装置を支持している方の手を含む両手を用いて、表示入力装置の正面及び背面に対する入力操作を行うことができるので、入力操作の自由度が増し、表示入力装置の利便性が向上する。また、表示入力装置の構造の複雑化とコストの上昇とを抑制しながらも、表示入力装置の両面を利用して容易にマルチ入力を実現する等、本発明は優れた効果を奏する。
【図面の簡単な説明】
【００１９】
【図１】実施の形態１に係る表示入力装置の内部構成を示すブロック図である。
【図２】画像表示パネル、正面側タッチパネル及び背面側タッチパネルの配置状態を示す模式的斜視図である。
【図３】本発明の表示入力装置の外観を示す模式的正面図である。
【図４】表示入力装置の使用例を示す模式図である。
【図５】実施の形態１に係る表示入力装置が実行する入力処理の手順を示すフローチャートである。
【図６】実施の形態２に係る表示入力装置の内部構成を示すブロック図である。
【図７】実施の形態２に係る表示入力装置が実行する入力処理の手順を示すフローチャートである。
【図８】実施の形態３に係る表示入力装置の内部構成を示すブロック図である。
【図９】実施の形態３に係る表示入力装置が実行する入力処理の手順を示すフローチャートである。
【図１０】実施の形態４に係る表示入力装置の内部構成を示すブロック図である。
【図１１】実施の形態４に係る表示入力装置が実行する入力処理の手順を示すフローチャートである。
【図１２】実施の形態５に係る表示入力装置の内部構成を示すブロック図である。
【図１３】実施の形態５に係る表示入力装置が実行する入力処理の手順を示すフローチャートである。
【図１４】実施の形態６に係る表示入力装置の内部構成を示すブロック図である。
【図１５】実施の形態６に係る表示入力装置が実行する認証処理の手順を示すフローチャートである。
【発明を実施するための形態】
【００２０】
以下本発明をその実施の形態を示す図面に基づき具体的に説明する。
（実施の形態１）
図１は、実施の形態１に係る表示入力装置の内部構成を示すブロック図である。表示入力装置は、液晶パネル又はＥＬ（エレクトロルミネセンス）パネル等の画像表示パネル１を備える。画像表示パネル１は透光性の構造となっており、背面側に存在する外部の物体を正面側から画像表示パネル１を通して視認することができるようになっている。画像表示パネル１が表示した画像が正常に視認できる面の側を正面側とし、逆の側を背面側とする。画像表示パネル１は、表示した画像が背面側からも視認できる構成であってもよく、画像が背面側からは視認できない構成であってもよい。画像が背面側からも視認できる構成の場合は、背面側からは左右が反転した画像が視認されることとなる。
【００２１】
画像表示パネル１には、画像表示パネル１に画像を表示させる情報処理を実行する画像制御部１１が接続されている。画像制御部１１には、画像データを記憶する画像記憶部１２が接続されており、画像制御部１１は、画像記憶部１２から画像データを適宜読み出し、読みだした画像データに基づいて画像表示パネル１に画像を表示させる。画像制御部１１には、表示入力装置全体を制御するための情報処理を実行する制御処理部３が接続されている。制御処理部３は、演算を実行する演算部、並びに演算に必要なデータ及びプログラムを記憶するメモリ等からなるデバイスである。制御処理部３は、適宜、画像を画像表示パネル１に表示させるための処理を画像制御部１１に実行させる。
【００２２】
また制御処理部３には、正面側タッチパネル（第２入力部）２１及び背面側タッチパネル（第１入力部）２２が接続されている。図２は、画像表示パネル１、正面側タッチパネル２１及び背面側タッチパネル２２の配置状態を示す模式的斜視図である。正面側タッチパネル２１は、画像表示パネル１の正面側の面に重ねて配置されており、背面側タッチパネル２２は、画像表示パネル１の背面側の面に重ねて配置されている。正面側タッチパネル２１及び背面側タッチパネル２２は、透光性の構造となっている。画像表示パネル１、正面側タッチパネル２１及び背面側タッチパネル２２は、全体として、背面側に存在する外部の物体を正面側から視認することができるように、背面側から正面側へ光が透過する構成になっている。正面側タッチパネル２１及び背面側タッチパネル２２には、使用者からの入力を受けつけるための処理を行う図示しない処理回路が付属している。正面側タッチパネル２１及び背面側タッチパネル２２は、使用者の操作により、指又はペン等で表面上の何れかの位置に接触される入力を受け付け、入力を受け付けた位置を抵抗膜方式又は静電容量方式等の方法により検出し、検出した位置を示すデータを制御処理部３へ入力する。
【００２３】
図３は、本発明の表示入力装置の外観を示す模式的正面図である。表示入力装置は、例えば、携帯型のコンピュータ、携帯型のゲーム機又は携帯電話機である。表示入力装置の外観は、画像表示パネル１の周縁部を枠状の筐体４が支持した構成となっている。見掛け上、正面視で表示入力装置の大部分は画像表示パネル１が占める。前述したように、画像表示パネル１の正面側に正面側タッチパネル２１が配置されている。正面側タッチパネル２１は使用者が接触できるように表面が露出している。また前述したように、画像表示パネル１の背面側に背面側タッチパネル２２が配置されている。背面側タッチパネル２２は使用者が接触できるように表面が露出している。表示入力装置の背面の外観は、図３に示した正面と同様の外観となっている。使用者は、画像表示パネル１、正面側タッチパネル２１及び背面側タッチパネル２２を通して、画像表示パネル１の背面側に存在する物体を視認することができる。
【００２４】
図４は、表示入力装置の使用例を示す模式図である。使用者は、片手で表示入力装置を支持し、もう片方の手で入力を行う。表示入力装置を支持している手の一部が、表示入力装置の背面側に存在しており、画像表示パネル１、正面側タッチパネル２１及び背面側タッチパネル２２を通して視認される。図４中には、筐体４で隠れている手の部分を破線で示している。使用者は、画像表示パネル１に表示された画像を正面側タッチパネル２１を通して視認し、指又はペン等で正面側タッチパネル２１に接触することにより、画像表示パネル１上のいずれかの位置を指定する入力を行う。また使用者は、画像を視認した上で、画像表示パネル１、正面側タッチパネル２１及び背面側タッチパネル２２を通して視認される指又はペン等を用いて背面側タッチパネル２２に接触することにより入力を行うことができる。また使用者は、両手を用いて、正面側タッチパネル２１及び背面側タッチパネル２２の両方に接触することにより入力を行うこともできる。
【００２５】
図５は、実施の形態１に係る表示入力装置が実行する入力処理の手順を示すフローチャートである。表示入力装置は、画像表示パネル１に入力処理に必要な画像を表示する（Ｓ１１）。具体的には、制御処理部３は、表示すべき画像を指定する情報を画像制御部１１へ入力し、画像制御部１１は、指定された画像を表示するための画像データを画像記憶部１２から読み出し、読みだした画像データに基づいた画像を画像表示パネル１に表示させる。例えばキーボードの画像が表示される。
【００２６】
制御処理部３は、次に、使用者の操作による正面側タッチパネル２１又は背面側タッチパネル２２への入力を待ち受ける処理を行う（Ｓ１２）。具体的には、制御処理部３は正面側タッチパネル２１又は背面側タッチパネル２２からのデータの入力を待ち受ける。入力がない場合には（Ｓ１２：ＮＯ）、制御処理部３は入力の待ち受けを続行する。入力があった場合は（Ｓ１２：ＹＥＳ）、制御処理部３は、正面側タッチパネル２１及び背面側タッチパネル２２の両方で入力を受け付けたか否かを判定する（Ｓ１３）。ステップＳ１３では、制御処理部３は、正面側タッチパネル２１及び背面側タッチパネル２２の両方からデータを入力された場合に、正面側タッチパネル２１及び背面側タッチパネル２２の両方で入力を受け付けたと判定する。
【００２７】
ステップＳ１３で正面側タッチパネル２１又は背面側タッチパネル２２の一方で入力を受け付けたと判定した場合は（Ｓ１３：ＮＯ）、制御処理部３は、入力を受け付けたときの画像表示パネル１上の入力位置を検出する処理を行う（Ｓ１４）。制御処理部３は、正面側タッチパネル２１上の位置及び背面側タッチパネル２２上の位置と画像表示パネル１上の位置とを対応づけたデータを予め記憶している。ステップＳ１４では、制御処理部３は、正面側タッチパネル２１又は背面側タッチパネル２２から入力されたデータが示す正面側タッチパネル２１又は背面側タッチパネル２２で入力を受け付けた位置に対応する画像表示パネル１上の位置を、記憶しているデータに基づいて求める。求めた画像表示パネル１上の位置は、正面側タッチパネル２１又は背面側タッチパネル２２で入力を受け付けたときの画像表示パネル１上の入力位置である。なお、表示入力装置は、正面側タッチパネル２１及び背面側タッチパネル２２で、入力を受け付けた位置に対応する画像表示パネル１上の入力位置を検出する処理を行う形態であってもよい。
【００２８】
ステップＳ１３で正面側タッチパネル２１及び背面側タッチパネル２２の両方で入力を受け付けたと判定した場合は（Ｓ１３：ＹＥＳ）、制御処理部３は、入力を受け付けたときの画像表示パネル１上の二箇所の入力位置を検出する処理を行う（Ｓ１５）。ステップＳ１５では、制御処理部３は、正面側タッチパネル２１及び背面側タッチパネル２２の夫々で入力を受け付けた位置に対応する画像表示パネル１上の入力位置を求める処理を行う。
【００２９】
ステップＳ１４又はステップＳ１５が終了した後は、制御処理部３は、検出した画像表示パネル１上の入力位置に応じた処理を実行し（Ｓ１６）、入力処理を終了する。ステップＳ１６では、例えば、制御処理部３は、画像表示パネル１に表示したキーボードの画像を利用した文字入力の処理を行う。また制御処理部３は、画像表示パネル１が表示する画像を必要に応じて変更する処理を行う。更に、表示入力装置は、ステップＳ１１〜Ｓ１６の処理を必要に応じて繰り返す。
【００３０】
以上詳述した如く、本実施の形態に係る表示入力装置では、画像を表示する画像表示パネル１の正面側での入力が可能であるとともに、画像表示パネル１の背面側での入力が可能である。画像表示パネル１、正面側タッチパネル２１及び背面側タッチパネル２２は透光性であるので、使用者は、画像表示パネル１の背面側で入力を行うための操作を視覚で確認することができる。このため、使用者は、表示入力装置を支持している方の手で画像表示パネル１の背面側で入力を行い、もう片方の手で画像表示パネル１の正面側で入力を行うことにより、両手での入力操作が可能である。両手での入力操作が可能となることにより、入力操作の自由度が増し、入力操作が迅速になるので、表示入力装置の利便性が向上する。
【００３１】
また、本実施の形態では、正面側タッチパネル２１及び背面側タッチパネル２２の両方で同時に入力を受け付けることにより、画像表示パネル１上の二箇所で同時入力を行うマルチ入力を可能にする。マルチ入力が可能となることにより、表示入力装置の利便性が向上する。例えば、キーボードの画像を利用したシフト入力が容易になる。また、表示入力装置を支持している手の親指で正面側の入力を行い、他の指で背面側の入力を行うことにより、片手だけを使用したマルチ入力が可能となる。本実施の形態では、正面側タッチパネル２１及び背面側タッチパネル２２自体にマルチ入力の機能が無くても、表示入力装置全体でマルチ入力が可能となる。このため、マルチ入力を可能にするために表示入力装置の構造が過剰に複雑化することを防止し、コストの上昇を抑制することができる。
【００３２】
（実施の形態２）
図６は、実施の形態２に係る表示入力装置の内部構成を示すブロック図である。本実施の形態では、制御処理部３に座標差計算部３１が接続されており、正面側タッチパネル２１及び背面側タッチパネル２２は座標差計算部３１に接続されている。座標差計算部３１は、正面側タッチパネル２１及び背面側タッチパネル２２で入力を受け付けた位置に対応する画像表示パネル１上の入力位置の座標を共通の座標系上で検出し、検出した座標の差を計算する処理を行う。座標差計算部３１は、演算部及び記憶部を含んでなるデバイスである。また座標差計算部３１は、正面側タッチパネル２１及び背面側タッチパネル２２で入力を受け付けた位置に対応する画像表示パネル１上の入力位置、及び計算した座標の差を示すデータを制御処理部３へ入力する。表示入力装置のその他の構成は実施の形態１と同様であり、対応する部分に同符号を付してその説明を省略する。なお、表示入力装置は、座標差計算部３１を備えることなく、入力位置の座標の差を制御処理部３で計算する形態であってもよい。
【００３３】
図７は、実施の形態２に係る表示入力装置が実行する入力処理の手順を示すフローチャートである。表示入力装置は、画像表示パネル１に入力処理に必要な画像を表示する（Ｓ２１）。座標差計算部３１は、使用者の操作による正面側タッチパネル２１及び背面側タッチパネル２２の両方への入力を待ち受ける処理を行う（Ｓ２２）。具体的には、座標差計算部３１正面側タッチパネル２１又は背面側タッチパネル２２からのデータの入力を待ち受ける。入力がない場合には（Ｓ２２：ＮＯ）、座標差計算部３１は入力の待ち受けを続行する。両方への入力があった場合は（Ｓ２２：ＹＥＳ）、座標差計算部３１は、入力を受け付けたときの画像表示パネル１上の二箇所の入力位置を検出する処理を行う（Ｓ２３）。ステップＳ２３では、座標差計算部３１は、正面側タッチパネル２１及び背面側タッチパネル２２から入力されたデータが示す夫々で入力を受け付けた位置に対応する画像表示パネル１上の入力位置を、予め記憶しているデータに基づいて求める。このとき、座標差計算部３１は、共通の座標系上で入力位置の座標を求める。
【００３４】
座標差計算部３１は、次に、検出した二箇所の入力位置の座標の差を計算する（Ｓ２４）。ステップＳ２４により、画像表示パネル１の両側で入力を受け付けたときの相対的な入力位置の差が得られる。座標差計算部３１は、求めた入力位置及び入力位置の座標の差を示すデータを制御処理部３へ入力する。制御処理部３は、次に、検出した画像表示パネル１上の入力位置及び入力位置の座標の差に応じた処理を実行し（Ｓ２５）、入力処理を終了する。ステップＳ２５では、例えば、制御処理部３は、画像表示パネル１に表示した画像を二本の指で縮小するピンチイン、又は画像を拡大するピンチアウトのための処理を実行する。更に、表示入力装置は、ステップＳ２１〜Ｓ２５の処理を必要に応じて繰り返す。
【００３５】
以上のように、本実施の形態においては、表示入力装置は、ピンチイン及びピンチアウト等の二箇所の入力位置の差に応じた処理を実行する。なお、表示入力装置は、必要に応じて、実施の形態１と同様の入力処理を実行する。
【００３６】
（実施の形態３）
図８は、実施の形態３に係る表示入力装置の内部構成を示すブロック図である。本実施の形態では、制御処理部３に時計部３２及び記憶部３３が接続されている。時計部３２は時刻を測定する。記憶部３３は、半導体メモリ又はハードディスクで構成される。表示入力装置のその他の構成は実施の形態１と同様であり、対応する部分に同符号を付してその説明を省略する。なお、表示入力装置は、時計部３２及び記憶部３３を備えることなく、時計部３２及び記憶部３３の機能を制御処理部３で実現する形態であってもよい。
【００３７】
図９は、実施の形態３に係る表示入力装置が実行する入力処理の手順を示すフローチャートである。表示入力装置は、画像表示パネル１に入力処理に必要な画像を表示する（Ｓ３１）。制御処理部３は、次に、使用者の操作による正面側タッチパネル２１及び背面側タッチパネル２２の内の一方への入力を待ち受ける処理を行う（Ｓ３２）。入力がない場合には（Ｓ３２：ＮＯ）、制御処理部３は入力の待ち受けを続行する。入力があった場合は（Ｓ３２：ＹＥＳ）、制御処理部３は、入力を受け付けたときの画像表示パネル１上の入力位置、及び入力時刻を検出する処理を行う（Ｓ３３）。ステップＳ３３では、制御処理部３は、正面側タッチパネル２１又は背面側タッチパネル２２からデータが入力された場合に、時計部３２が測定している時刻を取得することにより、入力時刻を検出する。制御処理部３は、次に、検出した入力位置及び入力時刻を関連付けて記憶部３３に記憶させる（Ｓ３４）。
【００３８】
制御処理部３は、次に、使用者の操作による正面側タッチパネル２１及び背面側タッチパネル２２の内の他方への入力を待ち受ける処理を行う（Ｓ３５）。入力がない場合には（Ｓ３５：ＮＯ）、制御処理部３は入力の待ち受けを続行する。入力があった場合は（Ｓ３５：ＹＥＳ）、制御処理部３は、入力を受け付けたときの画像表示パネル１上の入力位置、及び入力時刻を検出する処理を行う（Ｓ３６）。制御処理部３は、次に、ステップＳ３４で記憶した入力時刻を記憶部３２から読み出し、ステップＳ３３で検出した入力時刻との差を計算することにより、正面側タッチパネル２１及び背面側タッチパネル２２での入力の時間差を計算する（Ｓ３７）。
【００３９】
制御処理部３は、次に、計算した時間差に応じた処理を実行し（Ｓ３８）、入力処理を終了する。更に、表示入力装置は、ステップＳ３１〜Ｓ３８の処理を必要に応じて繰り返す。なお、表示入力装置は、必要に応じて、実施の形態１と同様の入力処理を実行する。
【００４０】
以上のように、本実施の形態においては、表示入力装置は、正面側タッチパネル２１及び背面側タッチパネル２２での入力の時間差に応じた処理を実行する。例えば、表示入力装置は、ステップＳ３８で個人認証の処理を行う。使用者が複数の指で表示入力装置をつまんで持つとき、正面側タッチパネル２１及び背面側タッチパネル２２の一方に指が接触してから他方に他の指が接触するまでの時間差は、使用者の癖又は手の大きさ等に起因して個人差がある。制御処理部３は、個人別に入力の時間差を予め記憶しておき、ステップＳ３８で、計算した時間差に応じて個人認証の処理を実行する。このような処理を行うことにより、表示入力装置は片手での個人認証が可能となる。また例えば、制御処理部３は、ステップＳ３８で、計算した時間差が所定の範囲内である場合にダブルタップの処理を実行する。このような処理を行うことにより、画像表示パネル１の両面を用いたダブルタップが可能となり、表示入力装置の利便性が向上する。
【００４１】
なお、時計部３２は、時刻を計測する形態に限るものではなく、製造時等の所定の時点からの経過時間を計測する形態であってもよく、また周期的なクロックを発生させる形態であってもよい。また、表示入力装置は、時刻を測定するのではなく、入力を受け付けてから次の入力を受け付けるまでに経過する時間を計測する形態であってもよい。また表示入力装置は、実施の形態２での機能をも備える形態であってもよい。
【００４２】
（実施の形態４）
図１０は、実施の形態４に係る表示入力装置の内部構成を示すブロック図である。本実施の形態では、制御処理部３には記憶部３３が接続されており、また制御処理部３は方向計算部３４を有する。方向計算部３４は、画像表示パネル１上の入力位置が移動する方向を計算する演算を実行する演算回路である。表示入力装置のその他の構成は実施の形態１と同様であり、対応する部分に同符号を付してその説明を省略する。
【００４３】
図１１は、実施の形態４に係る表示入力装置が実行する入力処理の手順を示すフローチャートである。表示入力装置は、画像表示パネル１に入力処理に必要な画像を表示する（Ｓ４０１）。制御処理部３は、次に、使用者の操作による正面側タッチパネル２１又は背面側タッチパネル２２への入力を待ち受ける処理を行う（Ｓ４０２）。入力がない場合には（Ｓ４０２：ＮＯ）、制御処理部３は入力の待ち受けを続行する。入力があった場合は（Ｓ４０２：ＹＥＳ）、制御処理部３は、入力を受け付けたときの画像表示パネル１上の入力位置を検出し（Ｓ４０３）、検出した入力位置を記憶部３３に記憶させる（Ｓ４０４）。入力位置は座標で表され、座標データが記憶部３３に記憶される。
【００４４】
制御処理部３は、次に、正面側タッチパネル２１及び背面側タッチパネル２２の内の同一のタッチパネルへの持続的な入力があるか否かを判定する（Ｓ４０５）。持続的な入力が無い場合は（Ｓ４０５：ＮＯ）、制御処理部３は、検出した画像表示パネル１上の入力位置に応じた処理を実行し（Ｓ４０６）、入力処理を終了する。
【００４５】
ステップＳ４０５で持続的な入力があった場合は（Ｓ４０５：ＹＥＳ）、制御処理部３は、入力を受け付けたときの画像表示パネル１上の入力位置を検出し（Ｓ４０７）、検出した入力位置を記憶部３３に記憶させる（Ｓ４０８）。入力位置を示す座標データは、入力位置が検出された順に関連付けて記憶される。方向計算部３４は、次に、画像表示パネル１上の入力位置の移動方向を計算する処理を行う（Ｓ４０９）。ステップＳ４０９では、方向計算部３４は、入力位置を示す複数の座標を記憶部３３から読み出し、複数の座標の差を計算することにより、移動方向を計算する。
【００４６】
制御処理部３は、次に、計算した移動方向に応じた処理を実行する（Ｓ４１０）。制御処理部３は、次に、入力が持続しているか否かを判定する（Ｓ４１１）。入力が持続している場合は（Ｓ４１１：ＹＥＳ）、制御処理部３は、処理をステップＳ４０７へ戻す。入力が終了している場合は（Ｓ４１１：ＮＯ）、制御処理部３は、入力処理を終了する。表示入力装置は、ステップＳ４０１〜Ｓ４１１の処理を必要に応じて繰り返す。また、表示入力装置は、正面側タッチパネル２１及び背面側タッチパネル２２の両方で持続的な入力を受け付けた場合において、ステップＳ４０１〜Ｓ４１１の処理を並列的に実行する。
【００４７】
以上のように、本実施の形態においては、表示入力装置は、正面側タッチパネル２１又は背面側タッチパネル２２で持続的な入力を受け付けた場合の入力位置の移動方向に応じた処理を実行する。例えば、表示入力装置は、ステップＳ４１０で、画像表示パネル１で表示する画像を画面内で移動させる処理を行う。また例えば、表示入力装置は、ステップＳ４１０で、画像表示パネル１で表示した画像を入力位置の移動方向に交差する軸の周りに回転させる処理を行う。この場合は、正面側タッチパネル２１又は背面側タッチパネル２２の両方で入力を受け付け、二種類の移動方向に応じた処理を行うことにより、表示入力装置は、画像の二軸回転を行うことができる。これらの処理を可能とすることにより、表示入力装置の利便性が向上する。なお、表示入力装置は、実施の形態２又は３での機能をも備える形態であってもよい。
【００４８】
（実施の形態５）
図１２は、実施の形態５に係る表示入力装置の内部構成を示すブロック図である。本実施の形態では、制御処理部３は、速度計算部３５を有する。速度計算部３５は、画像表示パネル１上の入力位置が移動する速度を計算する演算を実行する演算回路である。表示入力装置のその他の構成は実施の形態３と同様であり、対応する部分に同符号を付してその説明を省略する。
【００４９】
図１３は、実施の形態５に係る表示入力装置が実行する入力処理の手順を示すフローチャートである。表示入力装置は、画像表示パネル１に入力処理に必要な画像を表示する（Ｓ５０１）。制御処理部３は、次に、使用者の操作による正面側タッチパネル２１又は背面側タッチパネル２２への入力を待ち受ける処理を行う（Ｓ５０２）。入力がない場合には（Ｓ５０２：ＮＯ）、制御処理部３は入力の待ち受けを続行する。入力があった場合は（Ｓ５０２：ＹＥＳ）、制御処理部３は、入力を受け付けたときの画像表示パネル１上の入力位置及び入力時刻を検出する処理を行う（Ｓ５０３）。制御処理部３は、次に、検出した入力位置及び入力時刻を関連付けて記憶部３３に記憶させる（Ｓ５０４）。
【００５０】
制御処理部３は、次に、正面側タッチパネル２１及び背面側タッチパネル２２の内の同一のタッチパネルへの持続的な入力があるか否かを判定する（Ｓ５０５）。持続的な入力が無い場合は（Ｓ５０５：ＮＯ）、制御処理部３は、検出した画像表示パネル１上の入力位置に応じた処理を実行し（Ｓ５０６）、入力処理を終了する。
【００５１】
ステップＳ５０５で持続的な入力があった場合は（Ｓ５０５：ＹＥＳ）、制御処理部３は、入力を受け付けたときの画像表示パネル１上の入力位置及び入力時刻を検出し（Ｓ５０７）、検出した入力位置及び入力時刻を関連付けて記憶部３３に記憶させる（Ｓ５０８）。速度計算部３５は、次に、画像表示パネル１上の入力位置の移動速度を計算する処理を行う（Ｓ５０９）。ステップＳ５０９では、速度計算部３５は、入力位置及び入力時刻が関連付けられた複数のデータを記憶部３３から読み出し、移動の速さ及び移動方向を含む移動速度を計算する。
【００５２】
制御処理部３は、次に、計算した移動速度に応じた処理を実行する（Ｓ５１０）。制御処理部３は、次に、入力が持続しているか否かを判定する（Ｓ５１１）。入力が持続している場合は（Ｓ５１１：ＹＥＳ）、制御処理部３は、処理をステップＳ５０７へ戻す。入力が終了している場合は（Ｓ５１１：ＮＯ）、制御処理部３は、入力処理を終了する。表示入力装置は、ステップＳ５０１〜Ｓ５１１の処理を必要に応じて繰り返す。また、表示入力装置は、正面側タッチパネル２１及び背面側タッチパネル２２の両方で持続的な入力を受け付けた場合において、ステップＳ５０１〜Ｓ５１１の処理を並列的に実行する。
【００５３】
以上のように、本実施の形態においては、表示入力装置は、正面側タッチパネル２１又は背面側タッチパネル２２で持続的な入力を受け付けた場合の入力位置の移動速度に応じた処理を実行する。例えば、表示入力装置は、ステップＳ５１０で、フリックの処理を行うことができる。この場合は、表示入力装置は、正面側タッチパネル２１又は背面側タッチパネル２２の両方で入力を受け付け、フリックを二回行うことによる入力を行うことが可能となる。また例えば、表示入力装置は、ステップＳ５１０で、画像表示パネル１で表示した画像を入力位置の移動速度に応じた回転速度で回転させる処理を行う。この場合は、正面側タッチパネル２１又は背面側タッチパネル２２の両方で入力を受け付け、二種類の移動速度に応じた処理を行うことにより、表示入力装置は、画像の二軸回転を行うことができる。これらの処理を可能とすることにより、表示入力装置の利便性が向上する。なお、表示入力装置は、実施の形態２〜４での機能をも備える形態であってもよい。
【００５４】
（実施の形態６）
図１４は、実施の形態６に係る表示入力装置の内部構成を示すブロック図である。本実施の形態では、制御処理部３には座標差計算部３１が接続されており、正面側タッチパネル２１及び背面側タッチパネル２２は座標差計算部３１に接続されている。また制御処理部３には指紋取得部２３が接続されている。指紋取得部２３は、撮像素子及び演算部を含むデバイスであり、正面側タッチパネル２１に接触された指を撮影し、撮像画像から指紋を読み出す処理を実行する。また制御処理部３には記憶部３３が接続されている。記憶部３３には、予め、表示入力装置の使用が許可されている使用者の特定の指の指紋と、特定の指が正面側タッチパネル２１に接触した状態で背面側タッチパネル２２に他の指が接触したときの入力位置の差とが関連付けて記憶されている。表示入力装置のその他の構成は実施の形態１と同様であり、対応する部分に同符号を付してその説明を省略する。なお、表示入力装置は、座標差計算部３１を備えることなく、入力位置の座標の差を制御処理部３で計算する形態であってもよい。
【００５５】
本実施の形態に係る表示入力装置は、起動時又は特定のアプリケーションを実行する前等、適宜のタイミングで、使用者の個人認証を行うための認証処理を実行する。図１５は、実施の形態６に係る表示入力装置が実行する認証処理の手順を示すフローチャートである。正面側タッチパネル２１及び背面側タッチパネル２２は、使用者の指を用いた入力を受け付け、座標差計算部３１は、正面側タッチパネル２１及び背面側タッチパネル２２で入力を受け付けたときの画像表示パネル１上の二箇所の入力位置を検出する処理を行う（Ｓ６１）。座標差計算部３１は、次に、検出した二箇所の入力位置の座標の差を計算する（Ｓ６２）。
【００５６】
指紋取得部２３は、入力の際に正面側タッチパネル２１へ接触した使用者の指の指紋を取得する（Ｓ６３）。指紋取得部２３は、取得した指紋の内容を示すデータを制御処理部３へ入力する。制御処理部３は、次に、座標差計算部３１で計算した二箇所の入力位置の差、及び指紋取得部２３で取得した指紋が、記憶部３３で関連付けて記憶してある入力位置の差及び指紋と一致するか否かを判定する（Ｓ６４）。ステップＳ６４では、制御処理部３は、関連付けられた入力位置の差及び指紋のデータを記憶部３３から読み出し、計算した入力位置の差及び取得した指紋と比較する。記憶部３３に記憶された入力位置の差及び指紋と、計算した入力位置の差及び取得した指紋との違いが所定の許容範囲内に収まっている場合に、制御処理部３は一致すると判定する。
【００５７】
計算した入力位置の差及び取得した指紋と一致する入力位置の差及び指紋が記憶部３３に記憶されている場合は（Ｓ６４：ＹＥＳ）、制御処理部３は、個人認証が必要な処理の実行を許可し（Ｓ６５）、認証処理を終了する。以降は、表示入力装置は、実施の形態１で説明した入力処理等の各種の処理を実行する。計算した入力位置の差及び取得した指紋と一致する入力位置の差及び指紋が記憶部３３に記憶されていない場合は（Ｓ６４：ＮＯ）、制御処理部３は、個人認証が必要な処理の実行を不許可とし（Ｓ６６）、認証処理を終了する。
【００５８】
以上のように、本実施の形態においては、表示入力装置は、入力時に正面側タッチパネル２１に接触した指の指紋と、背面側タッチパネル２２で入力を受け付けたときの画像表示パネル１上の入力位置とに基づいて、使用者の個人認証を行う。使用者が複数の指で表示入力装置をつまんで持つとき、正面側タッチパネル２１及び背面側タッチパネル２２の夫々に接触する指の位置関係は、使用者の癖又は手の大きさ等に起因して個人差がある。このため、指紋のみを用いて個人認証を行う場合に比べて、本実施の形態では、より正確な個人認証が可能となる。
【００５９】
なお、表示入力装置は、背面側タッチパネル２２に接触された指の指紋を指紋取得部２３で取得し、取得した指紋と正面側タッチパネル２１で入力を受け付けたときの画像表示パネル１上の入力位置とに基づいて個人認証を行う形態であってもよい。また、表示入力装置は、正面側タッチパネル２１及び背面側タッチパネル２２に接触された指の指紋を取得し、二種類の指紋と入力位置の差とを用いて個人認証を行う形態であってもよい。また、本実施の形態においては、個人認証用の生体情報として指紋を利用する形態を示したが、表示入力装置は、静脈パターン等のその他の生体情報を利用する形態であってもよい。
【００６０】
また、以上の実施の形態１〜６においては、画像表示パネル１の表裏に正面側タッチパネル２１及び背面側タッチパネル２２を重ねて配置した形態を示したが、表示入力装置は、他の構成で第１入力部及び第２入力部を実現した形態であってもよい。例えば、表示入力装置は、第１入力部及び第２入力部として光学式タッチパネルを備えた形態であってもよい。また例えば、表示入力装置は、画像表示パネル１に光センサを内蔵しておき、画像表示パネル１の正面及び背面での入力位置を光センサにより検出する形態であってもよい。また、本発明の表示入力装置の例として、携帯型のコンピュータ、携帯型のゲーム機及び携帯電話機を挙げたが、表示入力装置はその他の装置であってもよい。例えば、表示入力装置は、コピー機に設けられた取り外し可能な操作パネルであってもよい。また例えば、表示入力装置は、個人認証を専門に行う認証装置であってもよい。
【符号の説明】
【００６１】
１  画像表示パネル
２１  正面側タッチパネル（第２入力部）
２２  背面側タッチパネル（第１入力部）
２３  指紋取得部
３  制御処理部
３１  座標差計算部
３２  時計部
３３  記憶部
３４  方向計算部
３５  速度計算部
４  筐体
【図１】
2013003601.tif 000003
【図２】
2013003601.tif 000004
【図３】
2013003601.tif 000005
【図４】
2013003601.tif 000006
【図５】
2013003601.tif 000007
【図６】
2013003601.tif 000008
【図７】
2013003601.tif 000009
【図８】
2013003601.tif 000010
【図９】
2013003601.tif 000011
【図１０】
2013003601.tif 000012
【図１１】
2013003601.tif 000013
【図１２】
2013003601.tif 000014
【図１３】
2013003601.tif 000015
【図１４】
2013003601.tif 000016
【図１５】
2013003601.tif 000017